【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
符号化圧縮されて送信される映像データのデジタル放送信号を受信して復号化するデジタル放送受信装置において、
デジタル放送信号の映像劣化を検出する映像劣化検出手段と、
受信した映像データを、受信した映像劣化の程度に対応した複数の各処理態様で演算処理する映像データ処理手段とを含むことを特徴とするデジタル放送受信装置。
【請求項２】
デジタル放送信号は、ＭＰＥＧ圧縮方式で構成され、
圧縮符号化構造のビット・ストリームは、
フレーム内符号化画像（Ｉ）、フレーム間順方向予測符号化画像（Ｐ）、およびフレーム間双方向予測符号化画像（Ｂ）から成り、前記映像データ処理手段は、映像劣化が生じた第１劣化状態では、フレーム内符号化画像（Ｉ）およびフレーム間順方向予測符号化画像（Ｐ）を用いて復号化映像データを作成し、映像劣化がさらに悪くなった第２劣化状態では、フレーム内符号化画像（Ｉ）を用いて復号化映像データを作成し、
映像劣化が第２劣化状態よりもさらに悪くなった第３劣化状態では、メモリに予めストアしてある完全静止映像データを読出して出力することを特徴とする請求項１記載のデジタル放送受信装置。
【請求項３】
映像データのジャンルをデジタル放送信号に含まれているデータによって検出する映像ジャンル検出手段を含み、
前記映像データ処理手段は、
前記映像ジャンル検出手段の出力に応答し、前記映像データ処理手段による各処理態様に対応した映像劣化の程度のしきい値を、ジャンルに対応して変化して設定する映像劣化しきい値設定手段を含むことを特徴とする請求項１または２記載のデジタル放送受信装置。
【請求項４】
映像劣化の程度のしきい値を設定するために操作者によって操作される操作入力手段を含み、
前記映像データ処理手段は、
前記操作入力手段の出力に応答し、映像データの表示出力中の映像劣化の程度を、しきい値として設定することを特徴とする請求項１または２記載のデジタル放送受信装置。
【請求項５】
前記映像劣化検出手段は、
映像劣化を表わす複数の各種類のパラメータを検出するパラメータ検出手段と、
前記パラメータ検出手段により検出された複数種類のパラメータのうちの少なくとも１つに基づいて、映像劣化が生じたものと判断する映像劣化判断手段とを含むことを特徴とする請求項１〜４のうちの１つに記載のデジタル放送受信装置。
【請求項６】
復帰手段をさらに含み、
前記復帰手段は、映像劣化時から正常な映像データの受信状態に復帰するにあたり、検出された前記複数種類の全てのパラメータが正常な映像データに対応する値になったとき、前記映像データ処理手段の演算処理を停止することを特徴とする請求項５記載のデジタル放送受信装置。
【請求項７】
前記復帰手段は、
前記複数種類の全てのパラメータが正常な映像データに対応する値に一旦、復帰した後に、映像劣化が再び生じる頻度が少ない予め定める復帰安全度を設定する復帰安全度設定手段と、
前記復帰安全度設定手段により設定された復帰安全度が達成された後、前記映像データ処理手段の演算処理を停止する演算処理停止手段とを含むことを特徴とする請求項６記載のデジタル放送受信装置。
【請求項８】
符号化圧縮されて送信される音声データのデジタル放送信号を受信して復号化するデジタル放送受信装置において、
デジタル放送信号の音声劣化を検出する音声劣化検出手段と、
受信した音声データを、受信した音声劣化の程度に対応した複数の各処理態様で出力する音声データ処理手段とを含むことを特徴とするデジタル放送受信装置。
【請求項９】
前記音声データ処理手段は、音声劣化が生じたとき、音量を減小することを特徴とする請求項８記載のデジタル放送受信装置。
【請求項１０】
音声データのジャンルを、デジタル放送信号に含まれているデータによって検出する音声ジャンル検出手段を含み、
前記音声データ処理手段は、前記音声ジャンル検出手段の出力に応答し、前記音声データ処理手段による各処理態様に対応した音声劣化の程度のしきい値を、ジャンルに対応して変化して設定する音声劣化しきい値設定手段を含むことを特徴とする請求項８または９記載のデジタル放送受信装置。
【請求項１１】
音声データのジャンルを、デジタル放送信号に含まれているデータによって検出する音声ジャンル検出手段を含み、
前記音声データ処理手段は、前記音声ジャンル検出手段の出力に応答し、前記音声データ処理手段による前記各しきい値毎に減小する音量を、ジャンルに対応して変化して設定することを特徴とする請求項９記載のデジタル放送受信装置。
【請求項１２】
音声劣化の程度のしきい値を設定するために操作者によって操作される操作入力手段を含み、
前記音声データ処理手段は、前記操作入力手段の出力に応答し、音声データの出力中の音声劣化の程度を、しきい値として設定することを特徴とする請求項８〜１０のうちの１つに記載のデジタル放送受信装置。
【請求項１３】
音声劣化の程度のしきい値を設定するために操作者によって操作される操作入力手段を含み、
前記音声データ処理手段は、前記操作入力手段の出力に応答し、音声データの出力中の音声劣化の程度を、音量減小の値として設定することを特徴とする請求項８，９または１１記載のデジタル放送受信装置。
【請求項１４】
前記音声劣化検出手段は、
音声劣化を表わす複数の各種類のパラメータを検出するパラメータ検出手段と、
前記パラメータ検出手段により検出された複数種類のパラメータのうちの少なくとも１つに基づいて、音声劣化が生じたものと判断する音声劣化判断手段とを含むことを特徴とする請求項８〜１３のうちの１つに記載のデジタル放送受信装置。
【請求項１５】
復帰手段をさらに含み、
前記復帰手段は、音声劣化時から正常な音声データの受信状態に復帰するにあたり、検出された前記複数種類の全てのパラメータが正常な音声データに対応する値になったとき、前記音声データ処理手段の演算処理を停止することを特徴とする請求項１４記載のデジタル放送受信装置。
【請求項１６】
前記復帰手段は、
前記複数種類の全てのパラメータが正常な音声データに対応する値に一旦、復帰した後に、音声劣化が再び生じる頻度が少ない予め定める復帰安全度を設定する復帰安全度設定手段と、
前記復帰安全度設定手段により設定された復帰安全度が達成された後、前記音声データ処理手段の演算処理を停止する演算処理停止手段とを含むことを特徴とする請求項１５記載のデジタル放送受信装置。
【請求項１７】
前記復帰安全度設定手段は、
前記複数種類の全てのパラメータが一旦、復帰した後からの継続時間を計測する時間計測手段を含み、
前記時間計測手段による継続時間が予め定める値以上であるとき、復帰安全度が達成されたことを表わす出力を導出して前記演算処理停止手段に与えることを特徴とする請求項７または１６記載のデジタル放送受信装置。
【請求項１８】
符号化圧縮されて送信される映像および音声のデータのデジタル放送信号を受信して復号化するデジタル放送受信装置において、
デジタル放送信号の受信状態の劣化を検出する受信劣化検出手段と、
受信した映像および音声のデータを、受信劣化の程度に対応した複数の各処理態様で、それぞれ演算処理する映像／音声データ処理手段とを含むことを特徴とするデジタル放送受信装置。
【請求項１９】
前記映像／音声データ処理手段は、映像劣化の程度に対応して映像データと音声データとの両者を、演算処理することを特徴とする請求項１８記載のデジタル放送受信装置。
【請求項２０】
前記映像／音声データ処理手段における映像劣化の程度のしきい値と、音声劣化の程度のしきい値とは、相互に異なる受信状態で設定されることを特徴とする請求項１８記載のデジタル放送受信装置。
【手続補正２】
【補正対象書類名】明細書
【補正対象項目名】０００３
【補正方法】変更
【補正の内容】
【０００３】
この問題を解決する先行技術（特許文献１参照）は、映像データの圧縮符号化にＭＰＥＧ方式を採用したデジタル放送システムにおいて、受信状態が悪化したとき、フレーム内符号化映像データ（Ｉピクチャ）のみに基づいて映像データを作成する構成を開示する。この先行技術では、たとえばスポーツ番組などのような動画の動きが早い画像データでは、受信状態が僅かに悪化したときでも、フレーム内符号化映像データのみに基づいて画像データが表示されるので、表示される画像が、いわばコマ送り状になり、スポーツ選手の速い動きを観察することが困難になる。
【手続補正３】
【補正対象書類名】明細書
【補正対象項目名】０００９
【補正方法】変更
【補正の内容】
【０００９】
本発明に従えば、映像劣化検出手段によって映像劣化を検出し、その映像劣化の程度に対応して映像データを複数の各処理態様で演算処理する。これによって、僅かな映像劣化時に映像の画質が大きく低下することを防ぐことができる。
【手続補正４】
【補正対象書類名】明細書
【補正対象項目名】００１０
【補正方法】変更
【補正の内容】
【００１０】
また本発明は、デジタル放送信号は、ＭＰＥＧ圧縮方式で構成され、
圧縮符号化構造のビット・ストリームは、
フレーム内符号化画像（Ｉ）、フレーム間順方向予測符号化画像（Ｐ）、およびフレーム間双方向予測符号化画像（Ｂ）から成り、前記映像データ処理手段は、映像劣化が生じた第１劣化状態では、フレーム内符号化画像（Ｉ）およびフレーム間順方向予測符号化画像（Ｐ）を用いて復号化映像データを作成し、映像劣化がさらに悪くなった第２劣化状態では、フレーム内符号化画像（Ｉ）を用いて復号化映像データを作成し、
映像劣化が第２劣化状態よりもさらに悪くなった第３劣化状態では、メモリに予めストアしてある完全静止映像データを読出して出力することを特徴とする請求項１記載のデジタル放送受信装置である。
【手続補正５】
【補正対象書類名】明細書
【補正対象項目名】００１５
【補正方法】変更
【補正の内容】
【００１５】
また本発明は、映像データのジャンルをデジタル放送信号に含まれているデータによって検出する映像ジャンル検出手段を含み、
前記映像データ処理手段は、
前記映像ジャンル検出手段の出力に応答し、前記映像データ処理手段による各処理態様に対応した映像劣化の程度のしきい値を、ジャンルに対応して変化して設定する映像劣化しきい値設定手段を含むことを特徴とする。
【手続補正６】
【補正対象書類名】明細書
【補正対象項目名】００１８
【補正方法】変更
【補正の内容】
【００１８】
また本発明は、映像劣化の程度のしきい値を設定するために操作者によって操作される操作入力手段を含み、
前記映像データ処理手段は、
前記操作入力手段の出力に応答し、映像データの表示出力中の映像劣化の程度を、しきい値として設定することを特徴とする。
【手続補正７】
【補正対象書類名】明細書
【補正対象項目名】００２０
【補正方法】変更
【補正の内容】
【００２０】
また本発明は、前記映像劣化検出手段は、
映像劣化を表わす複数の各種類のパラメータを検出するパラメータ検出手段と、
前記パラメータ検出手段により検出された複数種類のパラメータのうちの少なくとも１つに基づいて、映像劣化が生じたものと判断する映像劣化判断手段とを含むことを特徴とする。
【手続補正８】
【補正対象書類名】明細書
【補正対象項目名】００２２
【補正方法】変更
【補正の内容】
【００２２】
また本発明は、復帰手段をさらに含み、
前記復帰手段は、映像劣化時から正常な映像データの受信状態に復帰するにあたり、検出された前記複数種類の全てのパラメータが正常な映像データに対応する値になったとき、前記映像データ処理手段の演算処理を停止することを特徴とする。
【手続補正９】
【補正対象書類名】明細書
【補正対象項目名】００２４
【補正方法】変更
【補正の内容】
【００２４】
また本発明は、前記復帰手段は、
前記複数種類の全てのパラメータが正常な映像データに対応する値に一旦、復帰した後に、映像劣化が再び生じる頻度が少ない予め定める復帰安全度を設定する復帰安全度設定手段と、
前記復帰安全度設定手段により設定された復帰安全度が達成された後、前記映像データ処理手段の演算処理を停止する演算処理停止手段とを含むことを特徴とする。
【手続補正１０】
【補正対象書類名】明細書
【補正対象項目名】００２８
【補正方法】変更
【補正の内容】
【００２８】
また本発明は、前記音声データ処理手段は、音声劣化が生じたとき、音量を減小することを特徴とする。
【手続補正１１】
【補正対象書類名】明細書
【補正対象項目名】００３０
【補正方法】変更
【補正の内容】
【００３０】
また本発明は、音声データのジャンルを、デジタル放送信号に含まれているデータによって検出する音声ジャンル検出手段を含み、
前記音声データ処理手段は、前記音声ジャンル検出手段の出力に応答し、前記音声データ処理手段による各処理態様に対応した音声劣化の程度のしきい値を、ジャンルに対応して変化して設定する音声劣化しきい値設定手段を含むことを特徴とする。
【手続補正１２】
【補正対象書類名】明細書
【補正対象項目名】００３２
【補正方法】変更
【補正の内容】
【００３２】
また本発明は、音声データのジャンルを、デジタル放送信号に含まれているデータによって検出する音声ジャンル検出手段を含み、
前記音声データ処理手段は、前記音声ジャンル検出手段の出力に応答し、前記音声データ処理手段による前記各しきい値毎に減小する音量を、ジャンルに対応して変化して設定することを特徴とする。
【手続補正１３】
【補正対象書類名】明細書
【補正対象項目名】００３４
【補正方法】変更
【補正の内容】
【００３４】
また本発明は、音声劣化の程度のしきい値を設定するために操作者によって操作される操作入力手段を含み、
前記音声データ処理手段は、前記操作入力手段の出力に応答し、音声データの出力中の音声劣化の程度を、しきい値として設定することを特徴とする。
【手続補正１４】
【補正対象書類名】明細書
【補正対象項目名】００３６
【補正方法】変更
【補正の内容】
【００３６】
また本発明は、音声劣化の程度のしきい値を設定するために操作者によって操作される操作入力手段を含み、
前記音声データ処理手段は、前記操作入力手段の出力に応答し、音声データの出力中の音声劣化の程度を、音量減小の値として設定することを特徴とする。
【手続補正１５】
【補正対象書類名】明細書
【補正対象項目名】００３８
【補正方法】変更
【補正の内容】
【００３８】
また本発明は、前記音声劣化検出手段は、
音声劣化を表わす複数の各種類のパラメータを検出するパラメータ検出手段と、
前記パラメータ検出手段により検出された複数種類のパラメータのうちの少なくとも１つに基づいて、音声劣化が生じたものと判断する音声劣化判断手段とを含むことを特徴とする。
【手続補正１６】
【補正対象書類名】明細書
【補正対象項目名】００４０
【補正方法】変更
【補正の内容】
【００４０】
また本発明は、復帰手段をさらに含み、
前記復帰手段は、音声劣化時から正常な音声データの受信状態に復帰するにあたり、検出された前記複数種類の全てのパラメータが正常な音声データに対応する値になったとき、前記音声データ処理手段の演算処理を停止することを特徴とする。
【手続補正１７】
【補正対象書類名】明細書
【補正対象項目名】００４２
【補正方法】変更
【補正の内容】
【００４２】
また本発明は、前記復帰手段は、
前記複数種類の全てのパラメータが正常な音声データに対応する値に一旦、復帰した後に、音声劣化が再び生じる頻度が少ない予め定める復帰安全度を設定する復帰安全度設定手段と、
前記復帰安全度設定手段により設定された復帰安全度が達成された後、前記音声データ処理手段の演算処理を停止する演算処理停止手段とを含むことを特徴とする。
【手続補正１８】
【補正対象書類名】明細書
【補正対象項目名】００４３
【補正方法】変更
【補正の内容】
【００４３】
また本発明は、前記復帰安全度設定手段は、
前記複数種類の全てのパラメータが一旦、復帰した後からの継続時間を計測する時間計測手段を含み、
前記時間計測手段による継続時間が予め定める値以上であるとき、復帰安全度が達成されたことを表わす出力を導出して前記演算処理停止手段に与えることを特徴とする。
【手続補正１９】
【補正対象書類名】明細書
【補正対象項目名】００４７
【補正方法】変更
【補正の内容】
【００４７】
また本発明は、前記映像／音声データ処理手段は、映像劣化の程度に対応して映像データと音声データとの両者を、演算処理することを特徴とする。
【手続補正２０】
【補正対象書類名】明細書
【補正対象項目名】００４８
【補正方法】変更
【補正の内容】
【００４８】
また本発明は、前記映像／音声データ処理手段における映像劣化の程度のしきい値と、音声劣化の程度のしきい値とは、相互に異なる受信状態で設定されることを特徴とする。
【手続補正２１】
【補正対象書類名】明細書
【補正対象項目名】００６２
【補正方法】変更
【補正の内容】
【００６２】
ＲＳエラー検出手段２７によって検出される映像劣化の程度Ｅが、第２劣化状態よりもさらに悪くなったＥ３≦Ｅである第３劣化状態では、メモリ１６に予めストアしてある映像データを呼出して出力する。このメモリ１６にストアされる映像データは、第３劣化状態よりも前の劣化が生じていない状態、すなわち正常時の映像画像であってもよく、または第１もしくは第２劣化状態でメモリ１６にストアした映像データであってもよい。このようにしきい値設定回路４２で設定された映像劣化の程度が、映像データの表示をすることができない程度に大きく劣化しているとき、レベル弁別回路３３は、スイッチ３８を遮断し、提示回路１３による復号映像データの作成を遮断して休止し、たとえば「受信状態が悪化のため、表示できません」などの文字表示を行うようにしてもよい。
【手続補正２２】
【補正対象書類名】明細書
【補正対象項目名】００７２
【補正方法】変更
【補正の内容】
【００７２】
ステップｄ８では、操作者が操作入力手段２１で設定した音量Ｑ１で処理回路１１は音声デコード手段８を動作して出力する。ステップｄ９，ｄ１０，ｄ１１では、音声データの劣化の程度が悪くなるにつれて、操作者が予め設定した音量Ｑ１に比べて音声データの減衰量が大きくなるように、すなわち音量を小さくするように、スピーカ１６の出力が設定される（音量Ｑ４＜Ｑ３＜Ｑ２＜Ｑ１）。ステップｄ７において音声データの程度が大きく悪化したとき、ステップｄ１２では、スピーカ２０からの音声出力を遮断する。